【事件の表示】
　特願２００３−　６８００３「モニタ付きカメラ一体型記録装置」拒絶査定不服審判事件〔平成１５年１０月１７日出願公開、特開２００３−２９８９２８〕について、次のとおり審決する。
【結　論】
　本件審判の請求は、成り立たない。
【理　由】
 第１　経緯 
 １　手続 
　本願は、平成６年７月６日の出願（特願平６−１５３９９７号）の分割出願（平成１５年３月１３日の出願）であって、平成１６年１１月２９日付けで拒絶査定がなされ、これに対し、平成１６年１２月２４日に拒絶査定に対する審判請求がなされたものである。 
 　 
 ２　査定 
　査定の理由は、概略、下記のとおりである。 
 　 
 　　　　　　　　　　　　記（査定の理由） 
 　 
　本願の請求項１ないし３までに係る発明は、下記刊行物に記載された発明に基いて、当業者が容易に発明をすることができたものであるから、特許法第２９条第２項の規定により特許を受けることができない。 
 　 
 　　　　　　　　　　　　　　　記 
ア　特開平０１−１９３７０８号公報
イ　特開平０３−２５５４３０号公報
ウ　特開平０６−０７０２０６号公報
エ　特開平０４−１５０６８１号公報
オ　特開平０４−１５１１３０号公報
カ　実願平０１−０７３０８７号（実開平０３−０１２５７４号）のマイクロフィルム
キ　特開平０１−１９４７６４号公報
　
　　
　
　第２　本願発明 
 　本願の請求項１ないし３までに係る各発明は、本願明細書及び図面（平成１６年４月１６日付けの手続補正書により補正された明細書及び図面）の記載からみて、それぞれ、その特許請求の範囲の請求項１ないし３までに記載したとおりの「モニタ付きカメラ一体型記録装置」であると認められるところ、そのうち、請求項１に係る発明（以下、「本願発明」という。）は次のとおりである。 
 　 
 「【請求項１】
　被写体を撮影する撮像手段を有するカメラ部と、
該カメラ部で撮影された映像を表示するモニタ画面を有するモニタ部と、
上記カメラ部から取り込まれた映像信号を記録媒体に記録する記録部とを備えたモニタ付きカメラ一体型記録装置において、
上記モニタ部のモニタ画面上において任意に指定された座標位置を検出する検出手段と、
上記指定された座標位置に対応したモニタ部の画素を選択的に点灯させる駆動手段と、
上記指定された座標位置により特定される画面領域に対応する映像信号を抽出する抽出手段と、
上記抽出手段により抽出された映像信号に基づいて、上記カメラ部における撮像手段の制御を行う撮像制御手段とを備えたことを特徴とするモニタ付きカメラ一体型記録装置。」 
　
 　 
 第３　当審の判断 
 １　刊行物の記載 
 　原査定において引用された特開平０６−０７０２０６号公報（平成６年３月１１日、以下「引用例」という。）には、図面とともに、次のとおりの記載がある。 
 　
「【０００５】
【課題を解決するための手段】本発明による第１の手段は、撮像された映像信号から任意の１フィールドまたは１フレームの信号を抽出して記録する電子スチルカメラ装置において、上記撮像された映像信号の表示される液晶ディスプレイ１３が設けられると共に、この液晶ディスプレイにタッチパネル１４が装着され、このタッチパネルを用いて操作（システム制御装置１６）の指示を行うことができるようにした電子スチルカメラ装置である。」
　
「【００１０】
【実施例】図１は本発明による電子スチルカメラ装置の一例の回路構成を示すブロック図である。この図において、１はレンズ系を示し、被写体（図示せず）からの映像光はこのレンズ系１を通じてＣＣＤ撮像素子２の撮像面に照射され、映像信号が取り出される。
【００１１】この映像信号が増幅器３、信号処理回路４を通じてＡ／Ｄ変換回路５に供給され、所定のビット数でディジタル変換される。このディジタル変換された画像データがスイッチ６を通じて画像メモリ（フレームメモリ）７に書き込まれる。この画像メモリ７に書き込まれた画像データが画像記録装置８に供給されて記録される。なおこの画像記録装置８の記録媒体にはＩＣカードやフロッピーディスク等を用いられる。またこの画像記録装置８からの再生信号がスイッチ６を通じて画像メモリ７に書き込まれる。
【００１２】また画像メモリ７に書き込まれた画像データが混合器９に供給されてグラフィックメモリ１０、テキストメモリ１１からの信号が混合される。なおグラフィックメモリ１０には後述するタッチパネルでから指定した位置を示す枠等が記憶されている。またテキストメモリ１１には操作の指示や状態等のコメント文が記憶されている。この混合器９からの信号がＤ／Ａ変換回路１２に供給され、アナログ変換された画像データが液晶ディスプレイ（ＬＣＤ）１３に供給される。
【００１３】従ってこの装置において、ＣＣＤ撮像素子２で撮像された画像データが画像メモリ７に書き込まれる。そしてこの画像にグラフィックメモリ１０、テキストメモリ１１からの画像が合成された画像が液晶ディスプレイ１３に表示される。またこの画像メモリ７に書き込まれた画像データが画像記録装置８の記録媒体に記録される。さらにこの画像記録装置８からの再生信号がスイッチ６を通じて画像メモリ７に書き込まれ、この画像が液晶ディスプレイ１３に表示される。
【００１４】さらにこの液晶ディスプレイ１３の表示面の前面にタッチパネル１４が設けられる。また液晶ディスプレイ１３の表示面の近傍に任意の操作釦１５が設けられる。これらのタッチパネル１４及び操作釦１５からの信号がシステム制御装置１６に供給される。
【００１５】また画像メモリ７に書き込まれた画像データが画面上の所望のエリアの切り出しメモリ１７に供給され、この切り出しメモリ１７からの信号が合焦検出回路１８及び測光回路１９に供給される。これらの合焦検出回路１８及び測光回路１９からの信号がシステム制御装置１６に供給される。」
                                  
「【００６８】部分測光エリアは長方形とし、対角のコーナー２点で指定する。すなわち図１２のＡあるいは同図のＢの状態で測光エリアの長方形の１つのコーナーをタッチパネル１４で指示すると、同図のＣの指示した所に丸印がグラフィック表示され、テキストでは対角のコーナーを指示するようにうながされる。ここでタッチパネル１４で対角コーナーを指示すると、同図のＤのような画面となり、１つの測光エリアが指定できたことを示す。
【００６９】同じ操作を繰り返し、複数の測光エリアを指定することもできる。同図のＥは２個目のエリアの最初のコーナーを指定したときの画面、同図のＦは２個目のエリアの対角コーナーを指定したときの画面である。なおタッチパネル待ちのときにはタッチパネル１４に触れるまでは操作釦１５の検出を行い、他の操作釦が押された場合はそちらを優先させる。
【００７０】一方、露出合わせの動作を図９に示す。この図で、まず測光モードを判断し、それぞれの測光モードに応じて画像メモリから指定された画像を切り出しメモリ１７に読み込み、測光回路１９によりデータ処理を行い露出を決定する。露出決定の際、上述の２点フォーカスが指定されていたら、フォーカス合わせのとき求めた２点のフォーカス位置に応じて絞りを大きめにし、シャッタースピードを求めるようにして露出を決定する。さらに露出が決まったら絞りとシャッタースピードをを設定する。
【００７１】こうして上述の装置によれば、タッチパネル１４を用いて操作の指示を行うので、画面の中央以外の部分でのフォーカス合わせや測光も極めて容易に行うことができるものである。」
　
　
 ２　対比 
 　本願発明と引用例に記載された発明（以下「引用発明」という。）とを対比する。 
 　 
 ア　引用例の段落【００１０】には、「図１は本発明による電子スチルカメラ装置の一例の回路構成を示すブロック図である。この図において、１はレンズ系を示し、被写体（図示せず）からの映像光はこのレンズ系１を通じてＣＣＤ撮像素子２の撮像面に照射され、映像信号が取り出される。」と記載されているから、「被写体を撮影する撮像手段を有するカメラ部」の存在が認められる。
　
イ　引用例の段落【０００５】には、「上記撮像された映像信号の表示される液晶ディスプレイ１３が設けられる」と記載されているから、「該カメラ部で撮影された映像を表示するモニタ画面を有するモニタ部」の存在が認められる。
　
ウ　引用例の段落【０００５】には、「撮像された映像信号から任意の１フィールドまたは１フレームの信号を抽出して記録する電子スチルカメラ装置」と記載されているから、「上記カメラ部から取り込まれた映像信号を記録媒体に記録する記録部」の存在が認められる。
　
エ　引用例の段落【０００５】、図２の記載から、「モニタ付きカメラ一体型記録装置」の存在が認められる。
　
オ　引用例の段落【０００５】には、「この液晶ディスプレイにタッチパネル１４が装着され」と記載されており、段落【００６８】には、「部分測光エリアは長方形とし、対角のコーナー２点で指定する。すなわち図１２のＡあるいは同図のＢの状態で測光エリアの長方形の１つのコーナーをタッチパネル１４で指示すると、同図のＣの指示した所に丸印がグラフィック表示され、テキストでは対角のコーナーを指示するようにうながされる。ここでタッチパネル１４で対角コーナーを指示すると、同図のＤのような画面となり、１つの測光エリアが指定できたことを示す。」と記載されているところ、タッチパネル１４は、指定された２点の座標を検出するものであり、座標はユーザが任意に指定可能であるから、「上記モニタ部のモニタ画面上において任意に指定された座標位置を検出する検出手段」の存在が認められる。
　
カ　引用例の段落【００１５】には、「また画像メモリ７に書き込まれた画像データが画面上の所望のエリアの切り出しメモリ１７に供給され、この切り出しメモリ１７からの信号が合焦検出回路１８及び測光回路１９に供給される。」と記載されており、段落【００７０】には、「一方、露出合わせの動作を図９に示す。この図で、まず測光モードを判断し、それぞれの測光モードに応じて画像メモリから指定された画像を切り出しメモリ１７に読み込み、測光回路１９によりデータ処理を行い露出を決定する。」と記載されているところ、切り出しメモリ１７は、対角コーナーの２点の座標によって指定された画像を切り出すものであるから、「上記指定された座標位置により特定される画面領域に対応する映像信号を抽出する抽出手段」の存在が認められる。
　
キ　引用例の段落【００１５】には、「この切り出しメモリ１７からの信号が合焦検出回路１８及び測光回路１９に供給される。これらの合焦検出回路１８及び測光回路１９からの信号がシステム制御装置１６に供給される。」と記載されており、段落【００７０】には、「測光回路１９によりデータ処理を行い露出を決定する。」と記載されているところ、合焦検出すること、露出を決定することは、請求項２、３を参酌すれば、撮像手段の制御を行うことの一部といえる。
　したがって、「上記抽出手段により抽出された映像信号に基づいて、上記カメラ部における撮像手段の制御を行う撮像制御手段」の存在が認められる。
　
　引用例では、段落【００６８】に記載されているように、指示した所に丸印がグラフィック表示されるものであり、そのように表示するための駆動手段の存在が認められるところ、本願発明の「点灯」も表示といえるから、本願発明と引用発明とは、「上記指定された座標位置に対応したモニタ部の画素を選択的に表示させる駆動手段」を備える点で一致している。
　
　そうすると、両者は、
「被写体を撮影する撮像手段を有するカメラ部と、
該カメラ部で撮影された映像を表示するモニタ画面を有するモニタ部と、
上記カメラ部から取り込まれた映像信号を記録媒体に記録する記録部とを備えたモニタ付きカメラ一体型記録装置において、
上記モニタ部のモニタ画面上において任意に指定された座標位置を検出する検出手段と、
上記指定された座標位置に対応したモニタ部の画素を選択的に表示させる駆動手段と、
上記指定された座標位置により特定される画面領域に対応する映像信号を抽出する抽出手段と、
上記抽出手段により抽出された映像信号に基づいて、上記カメラ部における撮像手段の制御を行う撮像制御手段とを備えたことを特徴とするモニタ付きカメラ一体型記録装置。」
　である点で一致し、以下の点で相違している。 
 　 
　駆動手段の「表示」について、本願発明では「点灯」であるのに対し、引用発明では、丸印がグラフィック表示されるものである点。
  
 　 
 ３　判断 
　上記相違点について検討する。 
 
　表示をどのような色で行うかは、画像との関係で適宜設定されるものといえるから、点灯（すなわち、明るい色等で表示）するようにすることは、当業者が適宜なし得る程度のことである。
　
　そして、本願発明の作用効果も、引用例から当業者が予測できる範囲のものである。 
 　 
　したがって、本願発明は、上記引用例に記載された発明に基づいて当業者が容易に発明をすることができたものである。 
 　 
 第４　むすび 
　以上のとおり、請求項１に係る発明は、引用例に記載された発明に基づいて当業者が容易に発明をすることができたものであるから、特許法第２９条第２項の規定により特許を受けることができない。 
　したがって、残る請求項（請求項２ないし請求項３まで）について特に検討するまでもなく、本願は拒絶すべきものである。 
　よって、結論のとおり審決する。